【事件の表示】
特願２０１５−　７５５７７「複数のサイト間のデータ分割」拒絶査定不服審判事件〔平成２７年　９月１０日出願公開、特開２０１５−１６４３１７〕について、次のとおり審決する。
【結　論】
　本件審判の請求は、成り立たない。
【理　由】
第１　手続の経緯
　本願は，２０１１年（平成２３年）２月１１日（パリ条約による優先権主張外国庁受理　２０１０年２月１２日　米国，　２０１０年２月１２日　米国）を国際出願日とする特願２０１２−５５３０１３号の一部を，平成２７年４月２日に新たな特許出願としたものであって，その手続の経緯は以下のとおりである。
平成２７年５月７日　　　　：手続補正書、上申書の提出
平成２８年７月２２日付け　：拒絶理由通知書
平成２９年２月２日　　　　：意見書、手続補正書の提出
平成２９年７月１３日付け　：拒絶査定
平成２９年１１月２７日　　：拒絶査定不服審判の請求
平成３０年１月１１日　　　：審判請求書に対する手続補正書（方式）
平成３０年１１月２７日付け：拒絶理由通知書（当審）
平成３１年３月１日　　　　：意見書、手続補正書の提出
第２　本願発明
　本願の請求項に係る発明は、平成３１年３月１日に提出された手続補正書により補正された特許請求の範囲の請求項１〜７に記載された事項により特定されるものであるところ，請求項１に係る発明（以下、「本願発明」という。）は、以下のとおりと認める。
「データを送信するための方法であって、
　基地局において、インターネットプロトコル（ＩＰ）パケットを備える第１のデータのストリームを受信するステップであって、前記ＩＰパケットは、ワイヤレス送信／受信ユニット（ＷＴＲＵ）に関連付けられた、ステップと、
　前記基地局において前記第１のデータのストリームを第２および第３のデータのストリームに分割するステップであって、前記第２のデータのストリームは、少なくとも１つの協調するネットワーク要素を介して前記ＷＴＲＵに送信することが意図され、前記第３のデータのストリームは、前記基地局によって前記ＷＴＲＵに送信することが意図される、ステップと、
　前記第２のデータのストリームを、前記基地局から前記少なくとも１つの協調するネットワーク要素に送信するステップと、
　前記第２のデータのストリームを前記少なくとも１つの協調するネットワーク要素に送信する間に、前記第３のデータのストリームを、前記基地局から前記ＷＴＲＵに送信するステップと、を備え、
　前記基地局および前記少なくとも１つの協調するネットワーク要素は、それぞれスケジュールリングエンティティを含むことを特徴とする方法。」
第３　拒絶の理由
　平成３０年１１月２７日付けで当審が通知した拒絶理由（以下、「当審拒絶理由」という。）の概要は次のとおりである。
　この出願の下記の請求項に係る発明は，その出願前に日本国内又は外国において、頒布された下記の刊行物に記載された発明又は電気通信回線を通じて公衆に利用可能となった発明であるから，特許法第２９条第１項第３号に該当し，特許を受けることができない。また，この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。そして，請求項１に対して米国特許出願公開第２００８／０２２０７８７号明細書が引用されている。
第４　引用例の記載及び引用発明について
１　引用例の記載
　当審拒絶理由で引用された米国特許出願公開第２００８／０２２０７８７号明細書（以下「引用例」という。）には，以下の事項が記載されている。（下線は、当審で付した。）
（１）「
[0028]
In wireless communications environment  100 , base station  102  is in wireless communication with subscriber stations  104 ( 1 ),  104 ( 2 ) . . .  104 (n) via wireless communications or communication links  106 ( 1 ),  106 ( 2 ) . . .  106 (m), respectively. 
（中略）
[0029]
（中略）
Access to network  108  enables base station  102  to forward data from subscriber stations  104  to external network locations and vice versa. Network(s)  108  may also be used for backhaul purposes. Examples of network  108  include, by way of example but not imitation, the internet, a landline telephone network, another wireless network, wired nodes of the overall network of base station  102 , LANs/WANs/MANs, some combination thereof, etc.
（当審訳：
［００２８］
無線通信環境１００では，基地局１０２は，無線通信又は通信リンク１０６（１），１０６（２）・・・１０６（ｍ）をそれぞれ介して加入者局１０４（１），１０４（２）・・・１０４（ｎ）と無線通信している。
（中略）
［００２９］
（中略）
ネットワーク１０８へのアクセスは，基地局１０２が，加入者局１０４から外部ネットワーク位置にデータを転送することを可能とし，その逆も可能である。ネットワーク１０８はまた，バックホールのために使用されてもよい。ネットワーク１０８の例には，例として，しかし限定されるものではないが，インターネット，固定電話網，他の無線ネットワーク，基地局１０２の全体的なネットワークの有線ノード，ＬＡＮ／ＷＡＮ／ＭＡＮ，それらのいくつかの組み合わせなどが含まれる。
（２）「
[0041]As specifically illustrated in FIG. 2 , but by way of example only,
 a base station (BS) 102 may be realized as a base transceiver station (BTS) 206 or an access point (AP) 208.
[0042]
（中略）
A single subscriber station  104  may simultaneously communicate with AP  208  over second communication channel  110 ( 2 ) and with BTS  206  over first communication channel  110 ( 1 ) in a channel-aggregated scenario.
（後略）」
(当審訳：
［００４１］
図２に具体的に示されるように，しかし，ほんの一例として、
基地局（ＢＳ）１０２は、基地トランシーバ局（ＢＴＳ）２０６、又はアクセスポイント（ＡＰ）２０８として実現されてもよい
［００４２］
（中略）
単一の加入者局１０４は，チャネルアグリゲーテッドシナリオにおいて，第２の通信チャネル１１０（２）を介してＡＰ２０８と第１の通信チャネル１１０（１）を介してＢＴＳ２０６と同時に通信することができる。
（後略）」
）
（３）「
[0049]
With base station  102 , processor-executable instructions  310  are illustrated as including a medium access controller (MAC)  316 , a scheduler  318 , and a BS channel aggregation module  320 .
Scheduler  318  may be part of MAC  316 . 
（当審訳：
［００４９］
基地局１０２では、プロセッサ実行可能命令３１０は、媒体アクセスコントローラ（ＭＡＣ）３１６と、スケジューラ３１８と、ＢＳチャンネル集約モジュール３２０を含むものとして示されている。
スケジューラ３１８は、ＭＡＣ部３１６の一部であってもよい。
（４）「
[0063]
（前略）
First and second communication channels  502 ( 1 ) and  502 ( 2 ) are specific examples of general first and second communication channels  110 ( 1 ) and  110 ( 2 ) (of  FIG. 1 ).
（中略）
[0066]
Subscriber station  3  (SS  3 ) is associated with a number of bursts in subframes  504 ,  506 ,  508 , and  510 . 
First aggregated communication channel-A  502 ( 1 ) includes downlink data for subscriber station  3  (SS  3 ) at DL Burst 3A, as indicated at  518 . Second aggregated communication channel-B  502 ( 2 ) includes downlink data for subscriber station  3  (SS  3 ) at DL Burst 1B, as indicated at  520 .
[0067]
Channel aggregation modules  320  and  354  (of  FIGS. 3A and 3B ) are responsible for dividing integrated data into two or more sets that are being transmitted across two or more aggregated channels and for combining the data sets that are being received via the two or more aggregated channels into the integrated data.
For example, integrated data for subscribe station  3  (SS 3 ) is divided into first data of DL Burst 3A  518  and second data DL Burst 1B  520  at a base station. At subscriber station  3 , the first data of DL Burst 3A and the second data of DL Burst 1B are combined into the integrated data.
（当審訳：
［００６３］
（前略）
第１及び第２の通信チャネル５０２（１）及び５０２（２）は，（図１の）一般的な第１及び第２の通信チャネル１１０（１）及び１１０（２）の具体例である。
（中略）
［００６６］
加入者局３（ＳＳ３）は、サブフレーム５０４，５０６，５０８，及び５１０内のいくつかのバーストに関連付けられている。
５１８で示されるように，第１のアグリゲーテッド通信チャネル−Ａ　５０２（１）は，”ＤＬバースト３Ａ”における加入者局３（ＳＳ３）のためのダウンリンクデータを含む。５２０で示されるように、第２のアグリゲーテッド通信チャネル−Ｂ　５０２（２）は、”ＤＬバースト１Ｂ”における加入者局３（ＳＳ３）のためのダウンリンクデータを含む。
［００６７］
（図３Ａ及び図３Ｂの）チャネルアグリゲーションモジュール３２０及び３５４は，統合データを，２つ以上のアグリゲーテッドチャネルにわたって送信される２つ以上のセットに分割する。そして，２つ以上のアグリゲーテッドチャネルを介して受信されるデータセットを統合データに結合する責任がある。例えば，加入者局３（ＳＳ３）のための統合データは，基地局において”ＤＬバースト３Ａ”５１８の第１データと”ＤＬバースト１Ｂ”５２０の第２データとに分割される。加入者局３では，”ＤＬバースト３Ａ”の第１データと”ＤＬバースト１Ｂ”の第２データとが結合されて統合データとなる。
（５）「
[0078]
（前略）
The actions of flow diagrams  800  and  900  may be performed in many different environments and with a variety of wireless communication devices, including by a base station  102  or a subscriber station  104  (both of  FIGS. 1 ,  3 A, and  3 B).
（中略）
[0079]
FIG. 8  is a flow diagram  800  that illustrates an example method for communication transmission using channel aggregation.
（中略）
[0081]
At block  804 , integrated data is divided for data communication via the first and second channel-aggregated communication channels. For example, data for a single service  112  may be divided (as at burst construction queue  610 ) into first data for first communication channel  502 ( 1 ) and second data for second communication channel  502 ( 2 ) (of  FIG. 6 ). For instance, integrated data for subscriber station  3  (SS  3 ) may be divided into a first data set for DL Burst 3A and a second data set for DL Burst 1B, as is illustrated in  FIG. 6 .
（中略）
[0082]
At block  806 , first data is transmitted via the first aggregated communication channel and second data is transmitted via the second aggregated communication channel. For example, first data (e.g., DL Burst 3A for SS  3  of  FIG. 6 ) may be transmitted via first aggregated communication channel  502 ( 1 ), and second data (e.g., DL Burst 1B) may be transmitted via second aggregated communication channel  502 ( 2 ).
[0083]
In a particular example embodiment, the first data and the second data may be communicated using an OFDMA scheme via non-adjacent, channel-aggregated communication channels. 
The first data may be transmitted, 
 via 
communication channel 
, and the second data may be simultaneously transmitted via
communication channel 
(当審訳：
（前略）
［００７８］
流れ図８００及び９００の動作は，基地局１０２または加入者局１０４（いずれも図１，図３Ａ，及び図３Ｂの両方）を含む多くの異なる環境において，様々な無線通信装置で実行することができる。
（中略）
［００７９］
図８は，チャネルアグリゲーションを使用した通信送信の例示的な方法を示す流れ図８００である。
（中略）
［００８１］
ブロック８０４において，統合データは，第１及び第２のチャネルアグリゲーテッド通信チャネルを介してデータ通信のために分割される。例えば，単一サービス１１２のデータは，（バースト構築キュー６１０のように）（図６の）第１の通信チャネル５０２（１）の第１のデータと第２の通信チャネル５０２（２）の第２のデータに分割することができる。例えば，加入者局３（ＳＳ）の統合データは，図６に示すように，”ＤＬバースト３Ａ”の第１のデータセットと”ＤＬバースト１Ｂ”の第２のデータセットに分割することができる。
（中略）
［００８２］
ブロック８０６において，第１のデータは第１のアグリゲーテッド通信チャネルを介して送信され，第２のデータは第２のアグリゲーテッド通信チャネルを介して送信される。例えば，第１のデータ（例えば，図６のＳＳ３に対する”ＤＬバースト３Ａ”）は，第１のアグリゲーテッド通信チャネル５０２（１）を介して送信され，そして第２のデータ（例えば”ＤＬバース１Ｂ”）は，第２のアグリゲーテッド通信チャネル５０２（２）を介して送信される。
［００８３］
特定の例示的実施形態では，第１のデータ及び第２のデータは，非隣接チャネルアグリゲーテッド通信チャネルを介してＯＦＤＭＡ方式を使用して通信される。
第１のデータは，
通信チャネルを介して送信され，第２のデータは，
通信チャネルを介して同時に送信される。
（６）「
[0096]
FIG. 11  illustrates examples of channel-aggregated wireless communication in a portion of the environment  1000  that is shown in  FIG. 10 . The portion shown in  FIG. 11  illustrates part of an example wireless communication system  1100  having multiple wireless devices including subscriber stations  104 , a BTS  206 , and multiple APs  208 , as well as a data combiner  1104 . As illustrated, wireless communication system  1100  includes licensed communication cell  202  and BTS  206  that can communicate (e.g., transmit and/or receive) data for wireless data communication. Wireless communication system  1100  also includes non-exclusively-licensed communication regions  204 ( 1 - 3 , N) and respective APs  208 ( 1 - 3 , N) that are within the portion of wireless environment  1000  (of  FIG. 10 ) that is illustrated in  FIG. 11 .
[0097]
Wireless communication system  1100  includes examples of subscriber stations  104 ( 1 - 2 ) that can each communicate (e.g., transmit and/or receive) data for wireless data communication within licensed communication cell  202  and/or within one or more of non-exclusively-licensed communication regions  204 . By way of example only, subscriber station  104 ( 1 ) is illustrated as a laptop computer, and subscriber station  104 ( 2 ) is illustrated as an intelligent mobile phone and/or wireless PDA.
[0098]
Various communication links  106  are shown between (i) BTS  206  and APs  208 ( 1 - 3 ) and (ii) subscriber stations  104 ( 1 - 2 ) to illustrate channel-aggregated wireless communication between the wireless devices. 
For example, subscriber station  104 ( 2 ) can communicate first data with BTS  206  via a licensed communication link  106 ( 2 -A) that represents a channel-aggregated licensed communication channel. Subscriber station  104 ( 2 ) can also simultaneously communicate second data with AP  208 ( 1 ) via a non-exclusively-licensed communication link  106 ( 2 -B) that represents a channel-aggregated non-exclusively-licensed communication channel.
[0099]
In this example with subscriber station  104 ( 2 ), a first aggregated communication channel  110 ( 1 ) (of  FIG. 1 ) corresponds to communication link  106 ( 2 -A), and a second aggregated communication channel  110 ( 2 ) corresponds to communication link  106 ( 2 -B). 
（当審訳：
［００９６］
図１１は，図１０に示す環境１０００の一部におけるチャネル集約型無線通信の例を示す。図１１に示す部分は，加入者局１０４、ＢＴＳ２０６、および複数のＡＰ２０８ならびにデータ結合器１１０４を含む複数の無線デバイスを有する例示的な無線通信システム１１００の一部を示す。図示のように、無線通信システム１１００は、無線データ通信のためにデータを通信（例えば、送信および/または受信）できるライセンス通信セル２０２およびＢＴＳ２０６を含む。無線通信システム１１００はまた、非排他的にライセンスされた通信領域２０４（１−３，Ｎ）およびそれぞれのＡＰ２０８（１−３，Ｎ）を含み，それらは図１１に示されている（図１０の）無線環境１０００の部分内にある。
［００９７］
無線通信システム１１００は，それぞれ，許可された通信セル２０２内および／または１つまたは複数の非独占的に許可された通信領域２０４内で無線データ通信のためにデータを通信（例えば，送信および／または受信）できる加入者局１０４（１−２）の例を含む。単なる例として、加入者局１０４（１）はラップトップコンピュータとして示され、加入者局１０４（２）はインテリジェント移動電話および/または無線ＰＤＡとして示される。
［００９８］
無線装置間のチャネル集約型無線通信を示すために、（ｉ）ＢＴＳ２０６とＡＰ２０８（１−３）および（ｉｉ）加入者局１０４（１−２）との間に様々な通信リンク１０６が示されている。
例えば，加入者局１０４（２）は，チャネルアグリゲーテッドライセンス通信チャネルを表すライセンス通信リンク１０６（２−Ａ）を介して第１のデータをＢＴＳ２０６と通信することができる。加入者局１０４（２）はまた，チャネルアグリゲーテッド非排他的ライセンス通信チャネルを表す非排他的ライセンス通信リンク１０６（２−Ｂ）を介して第２のデータをＡＰ２０８（１）と同時に通信することもできる。
［００９９］
加入者局１０４（２）のこの例では，（図１の）第１のアグリゲーテッド通信チャネル１１０（１）が通信リンク１０６（２−Ａ）に対応し，第２のアグリゲーテッド通信チャネル１１０（２）が通信リンク１０６（２ーＢ）に対応する。
（７）図１
  
（８）図５
（９）図１１
　２　引用発明
　上記１の摘記事項の記載及び当業者の技術常識を考慮すると，次のことがいえる。
（１）上記１（１）の段落［００２９］の記載によれば，ネットワークへのアクセスは，基地局が，加入者局から外部ネットワーク位置にデータを転送することを可能とし，その逆も可能であるから，「基地局は外部ネットワークからデータを受信し，該データを加入者局に対して送信する」ものといえる。そして同段落には，ネットワークの例にはインターネットが含まれており，インターネットで用いられる通信プロトコルはインターネットプロトコルであるから，「基地局がネットワークから受信するデータはインターネットプロトコルパケットを備える」といえる。また，インターネットプロトコルパケット内に送信先である加入者局の送信先アドレスを有していることは当業者における技術常識であり，インターネットプロトコルパケットは該送信先アドレスに関連付けられる送信先に送信されるものであるから，「インターネットプロトコルパケットは，」送信先である「加入者局に関連づけられている」といえる。また，上記（１）の段落［００２８］の記載によれば，基地局１０２は，無線通信又は通信リンク１０６（１），１０６（２）・・・１０６（ｍ）をそれぞれ介して加入者局１０４（１），１０４（２）・・・１０４（ｎ）と無線通信するものであるから，加入者局は無線通信を行うものであるといえる。
　そうすると，引用例には「基地局において，インターネットプロトコルパケットを備えるデータを受信する」ステップ，及び「インターネットプロトコルパケットは，無線通信を行う加入者局に関連付けられた」ステップが記載されているといえる。
（２）上記１（４）の段落［００６７］の記載によれば，加入者局３（ＳＳ３）のための統合データは，基地局において”ＤＬバースト３Ａ”５１８の第１データと”ＤＬバースト１Ｂ”５２０の第２データとに分割されるものであり，統合データは，基地局が受信したデータであるといえるから，引用例には，「基地局において受信したデータを第１のデータと第２のデータに分割する」ステップが記載されているといえる。
　また，同段落には，加入者局３では，”ＤＬバースト３Ａ”の第１データと”ＤＬバースト１Ｂ”の第２データとが結合されて統合データとなることが記載されており，第１のデータ及び第２のデータは加入者局に送信されるデータであるといえる。そうすると，引用例には「基地局において分割された第１データ及び第２データは加入者局に送信することが意図されている」ものといえる。
　そして、上記１（６）の段落［００９８］の記載によれば，加入者局１０４（２）は，通信リンク１０６（２−Ａ）を介して第１のデータをＢＴＳ２０６と通信し，加入者局１０４（２）は，通信リンク１０６（２−Ｂ）を介して第２のデータをＡＰ２０８（１）と同時に通信することが記載されており，ＢＴＳと基地局は，上記１（２）の段落［００４１］にも記載されているとおり，同義である。
　ここで，第１データである”ＤＬバースト３Ａ”，第２データである”ＤＬバースト１Ｂ”と通信リンク１０６（２−Ａ），通信リンク１０６（２−Ｂ）との関係について，以下検討する。
　上記１（４）の段落［００６６］の記載によれば，第１のアグリゲーテッド通信チャネル−Ａ　５０２（１）は，”ＤＬバースト３Ａ”における加入者局３（ＳＳ３）のためのダウンリンクデータを含み，第２のアグリゲーテッド通信チャネル−Ｂ　５０２（２）は，”ＤＬバースト１Ｂ”における加入者局３（ＳＳ３）のためのダウンリンクデータを含むものである。また上記１（４）の段落［００６３］の記載によれば，第１及び第２の通信チャネル５０２（１）及び５０２（２）は，第１及び第２の通信チャネル１１０（１）及び１１０（２）を表すものである。そして上記１（６）の段落［００９９］の記載によれば，第１のアグリゲーテッド通信チャネル１１０（１）が通信リンク１０６（２−Ａ）に対応し，第２のアグリゲーテッド通信チャネル１１０（２）が通信リンク１０６（２−Ｂ）に対応すると記載されている。
　上記のとおりであるから，第１データである”ＤＬバースト３Ａ”の送信は通信リンク１０６（２−Ａ）によって送信されるものであり，第２データである”ＤＬバースト１Ｂ”の送信は通信リンク１０６（２−Ｂ）によって送信されるものであるといえる。
　そうすると，引用例には「基地局において受信したデータを第１データと第２データに分割する」ステップ，「第２データは少なくとも１つのＡＰを介して加入者局に送信することが意図され，第１データを基地局を介して加入者局に送信することが意図される」ステップ，がそれぞれ記載されているといえる。
（３）上記（２）にも述べたとおり，基地局において分割された第１データは基地局を介して加入者局と通信するものであり，第２データはＡＰを介して加入者局と通信するものであり，上記１（５）の段落［００８３］の記載によれば，第１のデータは，・・・通信チャネルを介して送信され，第２のデータは，・・・通信チャネルを介して同時に送信されるものであるから，引用例には「第２のデータを，基地局から少なくとも１つのＡＰに送信する」ステップ，「第２のデータを少なくとも１つのＡＰに送信すると同時に，第１のデータを基地局から加入者局に送信する」ステップ，がそれぞれ記載されているといえる。
（４）上記１（３）の段落［００４９］の記載によれば，基地局１０２では、プロセッサ実行可能命令３１０は、媒体アクセスコントローラ（ＭＡＣ）３１６と、スケジューラ３１８と、ＢＳチャンネル集約モジュール３２０を含むものである。また上記１（２）の段落［００４１］の記載によれば，基地局（ＢＳ）１０２は、基地トランシーバ局（ＢＴＳ）２０６、又はアクセスポイント（ＡＰ）２０８として実現されてもよいものであるから，ＡＰもスケジューラを含むものである。
　そうすると，引用例には「基地局及び少なくとも１つのＡＰは，それぞれスケジューラを含む」ことが記載されているといえる。
（５）そして，上記（１）〜（４）のとおりであるから，引用例には「データ送信方法」が記載されているといえる。
　以上を踏まえると、引用例には、以下の発明（以下、「引用発明」という。）が記載されていると認める。
「データ送信方法であって，
　基地局において，インターネットプロトコルパケットを備えるデータを受信するステップであって，前記インターネットプロトコルパケットは，無線通信を行う加入者局に関連付けられた、ステップと，
　前記基地局において受信したデータを第１のデータと第２のデータに分割するステップであって，前記第２データは少なくとも１つのＡＰを介して前記加入者局に送信することが意図され，前記第１データを前記基地局を介して前記加入者局に送信することが意図される，ステップと，
　前記第２のデータを，前記基地局から前記少なくとも１つのＡＰに送信するステップと，
　前記第２のデータを前記少なくとも１つのＡＰに送信すると同時に，前記第１のデータを前記基地局から前記加入者局に送信するステップと，を備え
　前記基地局及び前記少なくとも１つのＡＰは，それぞれスケジューラを含む方法。」
第５　対比
　本願発明と引用発明とを対比すると、以下のとおりとなる。
１　引用発明の「データ送信方法」は、「データを送信するための方法」といえる。
２　本願発明の「ワイヤレス送信／受信ユニット（ＷＴＲＵ）」とは，本願明細書段落【０００４】の「ＵＥ（ユーザ機器）と呼ばれるＷＴＲＵ（ワイヤレス送信／受信ユニット）」との記載から，ユーザが利用する無線端末であるといえる。そして引用発明の「無線通信を行う加入者局」もユーザが利用する無線端末であり，無線端末においてはワイヤレス送信／受信ユニットを当然含んでいるといえるから，引用発明の「無線通信を行う加入者局」は，本願発明の「ワイヤレス送信／受信ユニット（ＷＴＲＵ）」に含まれる。
　そして，基地局において受信されるデータを「第１のデータ」と称することは任意である。
　したがって，引用発明の「基地局において，インターネットプロトコルパケットを備えるデータを受信するステップであって，前記インターネットプロトコルパケットは，無線通信を行う加入者局に関連付けられた，ステップ」は，本願発明と「基地局において，インターネットプロトコル（ＩＰ）パケットを備える第１のデータを受信するステップであって，前記ＩＰパケットは，ワイヤレス送信／受信ユニット（ＷＴＲＵ）に関連付けられた，ステップ」といえる点で共通する。
３　引用発明の「ＡＰ」は，基地局とは異なる装置として動作するものであるから，基地局とは異なるネットワーク要素であるといえ，また基地局からデータを加入者局に送信する際，第２データはＡＰを介して同時に加入者局に送信されるものであるから協調して動作するネットワーク要素であるともいえる。
　そして，基地局においてデータを分割して作成される第１データ及び第２データを「第３のデータ」及び「第２のデータ」と称することは任意である。
　したがって，引用発明の「基地局において受信したデータを第１のデータと第２のデータに分割するステップであって，前記第２データは少なくとも１つのＡＰを介して加入者局に送信することが意図され，前記第１データを前記基地局を介して前記加入者局に送信することが意図される，ステップ」は，本願発明と「基地局において第１のデータを第２および第３のデータに分割するステップであって、前記第２のデータは、少なくとも１つの協調するネットワーク要素を介して前記ＷＴＲＵに送信することが意図され、前記第３のデータは、前記基地局によって前記ＷＴＲＵに送信することが意図される、ステップ」といえる点で共通する。
４　引用発明の「第２のデータを，基地局から少なくとも１つのＡＰに送信するステップ」は，本願発明と「第２のデータを、基地局から少なくとも１つの協調するネットワーク要素に送信するステップ」といえる点で一致する。
５　引用発明の「同時に」は，「間に」に含まれることから，引用発明の「第２のデータを少なくとも１つのＡＰに送信すると同時に，第１のデータを基地局から加入者局に送信するステップ」は，本願発明と「第２のデータを少なくとも１つの協調するネットワーク要素に送信する間に、第３のデータを、基地局からＷＴＲＵに送信するステップ」といえる点で一致する。
６　引用例の「スケジューラ」が，「スケジューリングエンティティ」といえることは技術常識である。
　そうすると，引用発明の「基地局及びＡＰは，それぞれスケジューラを含むこと」は，本願発明の「基地局および少なくとも１つの協調するネットワーク要素は、それぞれスケジュールリングエンティティを含むこと」といえる点で一致する。
　以上を踏まえると、本願発明と引用発明とは以下の点で一致し、相違する。
（一致点）
「データを送信するための方法であって，
　基地局において，インターネットプロトコル（ＩＰ）パケットを備える第１のデータを受信するステップであって，前記ＩＰパケットは，ワイヤレス送信／受信ユニット（ＷＴＲＵ）に関連付けられた，ステップと，
　前記基地局において前記第１のデータを第２および第３のデータに分割するステップであって、前記第２のデータは、少なくとも１つの協調するネットワーク要素を介して前記ＷＴＲＵに送信することが意図され、前記第３のデータは、前記基地局によって前記ＷＴＲＵに送信することが意図される、ステップと，
　前記第２のデータを、前記基地局から前記少なくとも１つの協調するネットワーク要素に送信するステップと，
　前記第２のデータを前記少なくとも１つの協調するネットワーク要素に送信する間に，前記第３のデータを、前記基地局から前記ＷＴＲＵに送信するステップと，を備え，
　前記基地局および前記少なくとも１つの協調するネットワーク要素は、それぞれスケジュールリングエンティティを含むことを特徴とする方法。」
（相違点）　一致点である「第１のデータ」，「第２のデータ」及び「第３のデータ」に関して，本願発明では「データのストリーム」あるのに対し，引用発明では，「データのストリーム」であることが特定されていない点。
第６　判断
　相違点について
　「データのストリーム」とは，一般的にデータの流れを表すものである。引用発明の基地局で受信するデータは分割して送信され加入者局によって次々と受信されるデータであるからデータのストリームであることは明らかである。
　したがって，上記相違点は実質的な相違ではないので、本願発明と引用発明とは同一である。
　また仮に相違点であるとしても、引用発明の基地局において受信する「データ」及び送信する「データ」をデータのストリームとすることは当業者が容易になし得る事項である。
　したがって、本願発明は、引用例に記載されたものであり、また、引用発明に基づいて当業者が容易に発明をすることができたものである。
第７　むすび
　以上のとおり、本願発明は、特許法第２９条第１項第３号に該当し、特許を受けることができない。また、特許法第２９条第２項の規定により特許を受けることができない。よって、他の請求項に係る発明について検討するまでもなく、本願は拒絶されるべきものである。
　よって、結論のとおり審決する。